(57)【要約】【課題】  簡素な構造でシャッターの外側からの水の侵入を確実に防止することができるシャッター装置を提供する。【解決手段】  第１シャッター部材が第１凸部１Ｂを備え、最上位置の第２シャッター部材が第１凸部に対応した第１凹部２Ａを備えると共に第２凸部２Ｂを備え、最上位置の第２シャッター部材に連接して垂下する複数の第２シャッター部材がそれぞれ第３凸部２Ｂを備えると共に第２凸部又は他の第２シャッター部材の第３凸部に対応する第２凹部２Ａを備え、第３シャッター部材が最下位置の第２シャッター部材の第３凸部に対応した第３凹部を備えており、シャッター装置が下降して接地すると、第３凸部が第３凹部に密接し、また、隣接する第２シャッター部材同士が積み重なると第２凸部又は第３凸部がそれぞれ対応する第２凹部に密接し、第１凸部が第１凹部に密接することを特長としている。【選択図】  図１
2006037653.tif 000002
【特許請求の範囲】
【請求項１】
最上部に位置する第１シャッター部材と、第１シャッター部材に連結されて垂下する複数の第２シャッター部材と、第２シャッター部材に連結されて垂下する最下部に位置する第３シャッター部材とを備え、上下方向に開閉するシャッター装置であって、
上記第１シャッター部材が下方に突出する第１凸部を備え、
最上位置の第２シャッター部材が該第１凸部に対応した第１凹部を備えると共に、下方に突出する第２凸部を備え、
上記最上位置の第２シャッター部材に連接して垂下する複数の第２シャッター部材が、それぞれ下方に突出する第３凸部を備えると共に、上記第２凸部又は他の第２シャッター部材の上記第３凸部に対応する第２凹部を備え、
さらに、上記第３シャッター部材が、最下位置の第２シャッター部材の第３凸部に対応した第３凹部を備えており、
シャッター装置が下降して接地すると、上記第３シャッター部材に対して最下位置の第２シャッター部材が積み重なり、その際、第２シャッター部材の第３凸部が第３シャッター部材の第３凹部に密接し、また、隣接する第２シャッター部材同士が積み重なると上記第２凸部又は上記第３凸部がそれぞれ対応する上記第２凹部に密接し、さらに、最上位置の第２シャッター部材に対して第１シャッター部材が積み重なると上記第１凸部が対応する第１凹部に密接することを特徴とする、シャッター装置。
【請求項２】
前記第１凸部、前記第２凸部、前記第３凸部の各両側面から突出したガイド部材と、前記第２シャッター部材及び前記第３シャッター部材の各側壁に形成されていて上記ガイド部材を案内支持するガイド孔と、を備え、
前記第１凸部、第２凸部及び第３凸部の少なくとも各一部がそれぞれ対応する前記第１凹部，前記第２凹部及び前記第３凹部の中に入った状態で各ガイド部材が対応するガイド孔に支持されて、隣接する第１シャッター部材と前記最上位置の第２シャッター部材、隣接する前記第２シャッター部材同士並びに隣接する前記最下位置の第２シャッター部材と前記第３シャッター部材が、それぞれ連結され、
シャッター装置が下降して接地すると、上記ガイド部材が上記ガイド孔に案内支持されて前記第１凸部、第２凸部及び第３凸部が対応する前記第１凹部、第２凹部及び第３凹部の中をさらに進入し、第１シャッター部材又は第２シャッター部材の底面が隣接する第２シャッター部材の上面又は第３シャッター部材の上面に当接することを特徴とする、請求項１に記載のシャッター装置。
【請求項３】
家屋の出入口などの開口部にガイド部材が取り付けられており、
前記第１シャッター部材、第２シャッター部材及び第３シャッター部材が、シャッター開閉時に、上記ガイド部材に案内支持されて、上下に移動することを特徴とする、請求項１又は請求項２に記載のシャッター装置。
【発明の詳細な説明】
【技術分野】
【０００１】
この発明は、家屋，ビル等の構造物における出入口や窓などの開口を仕切るシャッター装置に関する。
【背景技術】
【０００２】
家屋，ビル等の構造物における出入口等の開口には、上下に開閉するシャッター装置が取り付けられている。このシャッター装置は、従来、複数の板状の羽根部材から成るシャッターを備えており、各羽根部材が相互に連結して垂直壁面が形成されるようになっている。このようなシャッター装置はたわみ性を備えており、不使用時には家屋の出入口等の開口の上に配置したケース内に収容され、また、シャッター使用時には、ケースから各羽根部材が順次引き出されて、複数の羽根が上下方向に整列して出入口等の開口前面を覆うようになっている。
また、近年においては、特許文献１に示すように、上下方向に伸縮式のシャッター装置も知られている。
【０００３】
【特許文献１】特開平８−２４００８３号公報
【発明の開示】
【発明が解決しようとする課題】
【０００４】
しかしながら、従来のシャッター装置が家屋の出入口等の開口を覆うように構成されているとしても、水害などにより開口を覆ったシャッターに多量の水が押し寄せてきた際には、従来のシャッター装置では隣接する羽根部材間に隙間が形成されているために、シャッター装置の表面から屋内への水の侵入を防ぐことができなかった。
【０００５】
本発明は、以上の点に鑑み、簡素な構造でシャッター装置の外側からの水の侵入を確実に防止することができるシャッター装置を提供することを目的としている。
【課題を解決するための手段】
【０００６】
この目的を達成するために、本発明は、最上部に位置する第１シャッター部材と、第１シャッター部材に連結されて垂下する複数の第２シャッター部材と、第２シャッター部材に連結されて垂下する最下部に位置する第３シャッター部材とを備え、上下方向に開閉するシャッター装置であって、第１シャッター部材が下方に突出する第１凸部を備え、最上位置の第２シャッター部材が該第１凸部に対応した第１凹部を備えると共に、下方に突出する第２凸部を備え、最上位置の第２シャッター部材に連接して垂下する複数の第２シャッター部材が、それぞれ下方に突出する第３凸部を備えると共に、第２凸部又は他の第２シャッター部材の第３凸部に対応する第２凹部を備え、第３シャッター部材が、最下位置の第２シャッター部材の第３凸部に対応した第３凹部を備えており、シャッター装置が下降して接地すると、第３シャッター部材に対して最下位置の第２シャッター部材が積み重なり、その際、第２シャッター部材の第３凸部が第３シャッター部材の第３凹部に密接し、また、隣接する第２シャッター部材同士が積み重なると第２凸部又は第３凸部がそれぞれ対応する第２凹部に密接し、さらに、最上位置の第２シャッター部材に対して第１シャッター部材が積み重なると第１凸部が対応する第１凹部に密接することを特徴とする。
【０００７】
本発明のシャッター装置は、前記第１凸部、第２凸部、第３凸部の各両側面から突出したガイド部材と、第２シャッター部材及び第３シャッター部材の各側壁に形成されていてガイド部材を案内支持するガイド孔と、を備え、第１凸部の一部、第２凸部及び第３凸部の少なくとも一部がそれぞれ対応する第１凹部、第２凹部及び第３凹部の中に入った状態で各ガイド部材が対応するガイド孔に支持されて、隣接する第１シャッター部材と最上位置の第２シャッター部材、隣接する第２シャッター部材同士並びに隣接する最下位置の第２シャッター部材と第３シャッター部材が、それぞれ連結され、シャッター装置が下降して接地すると、ガイド部材がガイド孔に案内支持されて第１凸部、第２凸部及び第３凸部が対応する第１凹部、第２凹部及び第３凹部の中をさらに進入し、該第１凸部、第２凸部及び第３凸部の全体が対応する該第１凹部、第２凹部及び第３凹部の中に入った際に、第１シャッター部材又は第２シャッター部材の底面が隣接する第２シャッター部材の上面又は第３シャッター部材の上面に当接することを特徴としている。
【０００８】
さらに、本発明のシャッター装置においては、家屋の出入口などの開口部にガイド部材が取り付けられており、前記第１シャッター部材、第２シャッター部材及び第３シャッター部材が、シャッター開閉時に、ガイド部材に案内支持されて、上下に移動することを特徴としている。
【発明の効果】
【０００９】
このような構成によれば、ブロック状の第１〜第３のシャッター部材が積み重なった状態において、第１シャッター部材及び第２シャッター部材の第１〜第３の凸部が、対応する第２シャッター部材の第１及び第２の凹部又は第３シャッター部材の第３凹部の内面に密着する。
【００１０】
よって、第１シャッター部材、第２シャッター部材及び第３シャッター部材が、垂直壁面を形成した際に、上側のブロックの凸部が下側のブロックの凹部の内面に密着しつつ、上側のブロックの底面が下側のブロックの上面に当接しているので、当該垂直壁面の前面に水が押し寄せても当該ブロックの隙間を通って水が垂直壁面の後方に侵入するのを確実に防止することができる。
【発明を実施するための最良の形態】
【００１１】
以下、図面に基づいて本発明の実施形態に係る水密式シャッター装置を説明する。
図１は、本発明の実施形態に係る水密式シャッター装置１０を示す側面図であり、水密式シャッター装置１０は、最上部に位置する第１シャッター部材１と、第１シャッター部材１に連接して垂下する複数の第２シャッター部材２と、第２シャッター部材に連結されて垂下する最下部に位置する第３シャッター部材３と、を備えている。
【００１２】
図２は本発明の実施形態に係る第１シャッター部材１を示す斜視図であり、第１シャッター部材１は上部１Ａと、上部１Ａの底面から下方に突出した第１凸部としての下部１Ｂとから構成されている。
図３は図２に示す第１シャッター部材１の分解斜視図であり、第１シャッター部材１の上部１Ａは、底板１Ａ１と、底板１Ａ１の周縁に沿って底板１Ａ１の上面に固定した、それぞれ同じ高さの前壁１Ａ２，後壁１Ａ３及び一対の側壁１Ａ４，１Ａ５と、前壁１Ａ２，後壁１Ａ３及び一対の側壁１Ａ４，１Ａ５の各上面に固定した上壁１Ａ６とから構成されている。
【００１３】
ここで、前壁１Ａ２と後壁１Ａ３とは、同一寸法に形成されている。そして、前壁１Ａ２と後壁１Ａ３とは、向かい合うように並設して底板１Ａ１の上に固定されている。また、左側の側壁１Ａ５は前壁１Ａ２の左端部と後壁１Ａ３の左端部との間に挟持されており、右側の側壁１Ａ４も、同様に、前壁１Ａ２の右端部と後壁１Ａ３の右端部との間に挟持されている。
【００１４】
底板１Ａ１には、図３に示すように、底板１Ａ７の長手方向に沿って、細長い穴１Ａ７が開設されている。この穴１Ａ７の前後方向の奥行Ｄ１は、底板１Ａ１の前側１Ａ２との付け根から下部２Ｂの前後方向の厚み分の長さに設定されている。また、穴１Ａ７の左右の端も底板１Ａ１の各側壁１Ａ４，１Ａ５との付け根に近接して底板１Ａ１に形成されている。
【００１５】
また、図２に示すように、上壁１Ａ６の上面にはリング１Ａ９が取り付けられており、後述する駆動装置６のワイヤーの端部がリング１Ａ９に繋がれている。尚、図示例では、２つリング１Ａ９が示されているが、リングやワイヤーの数は任意である。
上述した上部１Ａを構成する６枚の板状の部材、即ち、底板１Ａ１，前壁１Ａ２，後壁１Ａ３，一対の側壁１Ａ４，１Ａ５，上壁１Ａ６は、それぞれ高い剛性を備えた鋼材により構成されている。
【００１６】
このように箱形に形成された上部１Ａの底面から突出するように、下部１Ｂは上部１Ａに固定されている。具体的には、下部１Ｂの上端部を前述の上部１Ａの底板１Ａ１に開設した穴１Ａ７に嵌入しスポット溶接などにより固定することで、下部１Ａは上部１Ａに取り付けられている。尚、下部１Ｂの上端部は、上部１Ａの底板１Ａ１に開設した穴１Ａ７を完全に塞ぐように寸法が設定されている。また、第１シャッター部材１の下部１Ｂも、上部１Ａと同様に、高い剛性を備えた鋼材により構成されている。
【００１７】
さらに、第１シャッター部材１の下部１Ｂは、図２及び図３に示すように、下端部にガイド部材としての連結棒１Ｂ１を備えている。連結棒１Ｂ１は、両端部が下部１Ｂの両側面から突出するように、図示省略する下部１Ｂの下端部に形成した貫通孔に挿入されている。なお、この連結棒１Ｂ１の代わりに下部１Ｂの両側面から突出するボスをガイド部材として用いてもよい。
【００１８】
このように構成された第１シャッター部材１に、複数の第２シャッター部材２が連接して垂下している。ここで、図４は本発明の実施形態に係る第２シャッター部材２を示す斜視図であり、各第２シャッター部材２は、第１凹部又は第２凹部としての上部２Ａと、上部２Ａの底面から下方に突出した第２凸部又は第３凸部としての下部２Ｂと、から構成されている。
図５は図４に示す第２シャッター部材２の分解斜視図であり、第２シャッター部材２の上部２Ａは、底板２Ａ１と、底板２Ａ１の周縁に沿って底板２Ａ１の上面に固定した前壁２Ａ２，後壁２Ａ３及び一対の側壁２Ａ４，２Ａ５と、から構成されている。
【００１９】
ここで、第２シャッター部材２の底板２Ａ１は、第１シャッター部材１の底板１Ａ１と同じ大きさ，形状であり、底板２Ａ１の長手方向に沿って細長い穴２Ａ７も備えている。この穴２Ａ７の前後方向の奥行Ｄ２は、底板２Ａ１の前側２Ａ２との付け根から下部２Ｂの前後方向の厚み分の長さに設定されている。穴２Ａ７の左右の端も底板２Ａ１の各側壁２Ａ４，２Ａ５との付け根に近接して底板２Ａ１に形成されている。
【００２０】
また、前壁２Ａ２と後壁２Ａ３とは、第１シャッター部材１の前壁１Ａ２及び後壁１Ａ３と同様に向かい合うように並設して底板２Ａ１の上に固定されているが、後壁２Ａ３は前壁２Ａ２よりも高さが低く設定されている。なお、前壁２Ａ２と左右の側壁２Ａ４，２Ａ５とは、同じ高さに設定されている。さらに、左右の各側壁２Ａ４，２Ａ５は、前述の第１シャッター部材１の側壁１Ａ４，１Ａ５と同様に前壁２Ａ２及び後壁２Ａ３の各端部に挟持されている。
【００２１】
また、図に示すように、左右の側壁２Ａ４，２Ａ５が後壁２Ａ３の上端に当接するように、左右の側壁２Ａ４，２Ａ５の上端部は後方へ延出している。さらに、左右の側壁２Ａ４，２Ａ５には、前述の第１シャッター部材１の連結棒１Ｂ１の端部を案内支持する筋状のガイド孔２Ａ８が開設されている。このガイド孔２Ａ８は、上下方向に細長く一続きに形成されているが、上側が後方に向けて傾斜している。
【００２２】
上述した上部２Ａを構成する５枚の板状の部材、即ち、底板２Ａ１，前壁２Ａ２，後壁２Ａ３，一対の側壁２Ａ４，２Ａ５も、それぞれ高い剛性を備えた鋼材により構成されている。
これら５枚の板状の部材２Ａ１，２Ａ２，２Ａ３，２Ａ４，２Ａ５によって、第２シャッター部材２の上部２Ａは、上方に開いた開口２Ｃ（図４参照）を有するように、断面コ字状のボックスとして作られている。なお、第２シャッター部材２の開口２Ｃは、前述の第１シャッター部材１の下部１Ｂの全体が入ることができるように大きさが設定されており、この開口２Ｃの内面、特に前壁２Ａ２，一対の側壁２Ａ４，３Ａ５に前述の第１シャッター部材１の下部１Ｂが摺接するようになっている。
【００２３】
そして、上部２Ａの底面から突出するように、下部２Ｂは上部２Ａに固定されている。具体的には、下部２Ｂの上端部を前述の上部２Ａの底板２Ａ１に開設した穴２Ａ７に嵌入しスポット溶接などにより固定して、下部２Ｂは上部２Ａに取り付けられている。なお、下部２Ｂの上端部は、上部２Ａの底板２Ａ１に開設した穴２Ａ７を完全に塞ぐように寸法が設定されている。
【００２４】
前述の上部２Ａと同様に、第２シャッター部材２の下部２Ｂも高い剛性を備えた鋼材により構成されている。また、第２シャッター部材２の下部２Ｂも、前述の第１シャッター部材１の下部１Ｂと同様に、図４及び図５に示すように、下端部にガイド部材としての２Ｂ１を備えている。この連結棒２Ｂ１も、図示省略する下部２Ｂの下端部に形成した貫通孔に入れられて、両端部を下部２Ｂの両側面から突出している。なお、この連結棒２Ｂ１の代わりに下部２Ｂの両側面から突出するボスをガイド部材として用いてもよい。
【００２５】
このように構成された複数の第２シャッター部材２が、本発明の実施形態に係る水密式シャッター装置１０においては、第１シャッター部材１に連接して垂下している。
【００２６】
ここで、先ず、第１シャッター部材１とこの第１シャッター部材１に隣接した第２シャッター部材２、即ち第１シャッター部材１と最上位置の第２シャッター部材２との連結構造について説明する。
本発明の実施形態に係る水密式シャッター装置１０では、図１に示すように、第１シャッター部材１が第２シャッター部材２の上に配置され、さらに、第１シャッター部材１の下部１Ｂが第２シャッター部材２の開口２Ｃ（図４参照）に嵌入され、且つ、該下部１Ｂの連結棒１Ｂ１の両端部が対応するガイド孔２Ａ８に挿入されている。
【００２７】
このような連結構造によって、第１シャッター部材１と第２シャッター部材２との相対的な距離は、連結棒１Ｂ１のガイド孔２Ａ８における移動可能範囲に対応して、変わることができるようになっている。例えば、第１シャッター部材１と第２シャッター部材２とが上下に並んだ状態で、第２シャッター部材２がその自重により下がると第２シャッター部材２のガイド孔２Ａ８の上端に第１シャッター部材１の連結棒１Ｂ１の両端部が当接して、第２シャッター部材２は第１シャッター部材１に吊り上げられることになり、このとき両者の間が最も開いている。なお、このように第２シャッター部材２が第１シャッター部材１に吊り上げられているとき、第１シャッター部材１の下部１Ｂの一部が、第２シャッター部材２の開口２Ｃに嵌入している。
【００２８】
一方、両者が最も近接したときには、第１シャッター部材１が第２シャッター部材２の上に積み重なっている。後述するが、第１シャッター部材１と第２シャッター部材２とが上下に並んだ状態で、当該第２シャッター部材２が後述するように他の第２シャッター部材２の上に積み重なって一定の位置にあるときに第１シャッター部材１が下がると、その連結棒１Ｂ１がガイド孔２Ａ８に案内されて、下部１Ｂがさらに開口２Ｃ内に進入するようになっている。当該下部１Ｂの全体が対応する開口２Ｃの中に入った状態においては、第１シャッター部材１の上部１Ａの底面が第２シャッター部材２の上部２Ａの上端に当接して、第１シャッター部材１は第２シャッター部材２の上に積み重なる。なお、第１シャッター部材１の底面が第２シャッター部材２の上端に当接しているときにも、第１シャッター部材１の下部１Ｂは、第２シャッター部材２の開口２Ｃに嵌入している。
【００２９】
以上説明した連結構造、即ち、第２シャッター部材２と第１シャッター部材１との連結構造は、第２シャッター部材２と他の第２シャッター部材との連結構造においても同様に採用されている。
【００３０】
このように第１シャッター部材１から連繋して配設されている複数の第２シャッター部材２の内、第１シャッター部材１から最遠の第２シャッター部材２、即ち最下位置の第２シャッター部材２には、前述したように第３シャッター部材３が連結されている。
ここで、図６は本発明の実施形態に係る第３シャッター部材３を示す斜視図であり、第３シャッター部材３も、第２シャッター部材の上部２Ａと同様に、上方を開放したボックスとして形成されている。
【００３１】
図７は図６に示す第３シャッター部材３の分解斜視図であり、第３シャッター部材３は、底板３Ａ１と、底板３Ａ１の周縁に沿って底板３Ａ１の上面に固定した前壁３Ａ２，後壁３Ａ３及び一対の側壁３Ａ４，３Ａ５と、から第３凹部として構成されている。
【００３２】
第３シャッター部材３は、第２シャッター部材２の上部２Ａとほぼ同じ形状に形成されており、図に示すように、前壁３Ａ２と後壁３Ａ３とが向かい合うように並設して底板３Ａ１の上に固定されており、後壁３Ａ３も第２シャッター部材２の後壁２Ａ３と同様に前壁３Ａ２よりも高さが低く設定されている。さらに、左右の各側壁３Ａ４，３Ａ５も、前述の第２シャッター部材２の側壁２Ａ４，２Ａ５と同様に前壁３Ａ２及び後壁３Ａ３の各端部に挟持されている。
【００３３】
また、図に示すように、左右の側壁３Ａ４，３Ａ５が後壁３Ａ４の上端に当接するように、左右の側壁３Ａ４，３Ａ５の上端部は後方へ延出している。さらに、左右の側壁３Ａ４，３Ａ５には、前述の第２シャッター部材２の連結棒２Ｂ１の端部を案内支持する筋状のガイド孔３Ａ８が開設されている。このガイド孔３Ａ８は、上下方向に細長く一続きに形成されているが、上側が後方に向けて傾斜している。
【００３４】
上述した第３シャッター部材３を構成する５枚の板状の部材、即ち、底板３Ａ１，前壁３Ａ２，後壁３Ａ３，一対の側壁３Ａ４，３Ａ５も、それぞれ高い剛性を備えた鋼材により構成されている。
これら５枚の板状の部材３Ａ１，３Ａ２，３Ａ３，３Ａ４，３Ａ５によって、第３シャッター部材３は、第２シャッター部材２の上部２Ａと同様に、上方に開いた断面コ字状のボックスとして形作られ、即ち上方に開いた開口３Ｃ（図６参照）を有する。なお、第３シャッター部材３の開口３Ｃは、前述の第２シャッター部材２の下部２Ｂの全体が入ることができるように大きさが設定されており、この開口３Ｃの内面、特に前壁３Ａ２，一対の側壁３Ａ４，３Ａ５に前述の第２シャッター部材２の下部２Ｂが摺接するようになっている。
【００３５】
このように構成された第３シャッター部材３は、第１シャッター部材１から連繋した複数の第２シャッター部材２の内で最下位置の第２シャッター部材２に垂下するように該第２シャッター部材２に連結されている。即ち、前述の連結構造、第１シャッター部材１と第２シャッター部材２との連結構造が、第２シャッター部材２と第３シャッター部材３にも採用されており、第２シャッター部材２の下部２Ｂが第３シャッター部材３の開口３Ｃの中に入り、且つ、該下部２Ｂの連結棒２Ｂ１の両端部が対応するガイド孔３Ａ８に入って、第３シャッター部材３は、第２シャッター部材２に連結されている。よって、第２シャッター部材２と第３シャッター部材３との相対的な距離も、前述の第１シャッター部材１と第２シャッター部材との関係同様に、連結棒２Ｂ１のガイド孔３Ａ８における移動可能範囲に対応して、変わることができるようになっている。
【００３６】
このように、水密式シャッター装置１０は、３種類のブロック状の部材、即ち、第１シャッター部材１，複数の第２シャッター部材２，第３シャッター部材３を連ねて構成されている。これらブロック状の第１シャッター部材１，第２シャッター部材２，第３シャッター部材３は、シャッター開閉時に、ガイド部材４に案内支持されて、上下に移動するようになっている。
【００３７】
図８は本発明の実施形態に係る水密式シャッター装置１０のガイド部材４を示す斜視図である。ガイド部材４は、枠状に形成された第１水平部材４Ａと、第１水平部材４Ａの左右の各端部から起立した断面コ字状の垂直部材４Ｂ，４Ｃと、各垂直部材４Ｂ，４Ｃの上端に連結した枠状の第２水平部材４Ｄと、から構成されている。
【００３８】
このようにフレーム状に形成されたガイド部材４に案内支持されて、第１シャッター部材１，第２シャッター部材２，第３シャッター部材３は、それぞれ上下方向に移動する。なお、第１シャッター部材１，第２シャッター部材２及び第３シャッター部材３の左右の各端面は、ガイド部材４の各垂直部材４Ｂ，４Ｃの内面に摺接して、上下方向にスライドするようになっている。
【００３９】
また、図８に示すように、地面や床面などの接地面５に対してガイド部材４を水密に取り付けられるように、第１水平部材４Ａの内部に嵌合するプレート状のベース４Ｆを接地面５に配設するとよい。
【００４０】
このように形成されたガイド部材４が、図９に示すように、家屋５０の出入口などの開口部に取り付けられる。そして、各シャッター部材１，２，３を巻き取る駆動装置６がガイド部材４の上に配設される。
【００４１】
駆動装置６は、ケース６Ａ内に収容された巻き上げドラム６Ｂ１〜６Ｂ３と、巻き上げドラム６Ｂ１〜６Ｂ３を回転させるためのモータ（図示省略）と、から構成されている。各巻き上げドラム６Ｂ１〜６Ｂ３は、八面を持つ８角のドラムとして形成されている。
【００４２】
また、各巻き上げドラム６Ｂ１〜６Ｂ３は互いにベルト６Ｃによって連結されており、モータを駆動することで、シャッター部材が図に示す矢印方向、即ち（１）→（２）→（３）→（４）の順序で巻き取られるようになっている。なお、（４）の位置に第１シャッター部材１が到達したら、巻き上げ動作を停止する。
【００４３】
この巻き上げの過程で、一番奥の巻き上げドラム６Ｂ３を折り返し、さらに（３）の位置に到達した第１シャッター部材や第２シャッター部材２が、巻き上げドラム６Ｂ１から巻き上げドラム６Ｂ３に向けて移動する第２シャッター部材２に接触しないように、巻き上げドラム６Ｂ２は、巻き上げドラム６Ｂ３よりも低い位置に配設されている。
【００４４】
次に本発明の実施形態に係る水密式シャッター装置１０の使用方法について説明する。先ず、各シャッター部材１，２，３の不使用時には、各シャッター部材１，２，３は、駆動装置６によって巻き上げられてケース６Ａ内に収容されている。
【００４５】
そして、シャッターを使用する際には、モータを駆動してケース６Ａから各シャッター部材１，２，３を順次引き出す。その際、ケース６Ａから出た各シャッター部材１，２，３は、ガイド部材４の左右の垂直部材４Ｂ，４Ｃに案内支持されて、図１（Ａ）に示すように鉛直線上に一列に整列する。
【００４６】
図１（Ａ）に示すように、第３シャッター部材３が接地面５から上方に離れている場合には、最下部の第３シャッター部材３は最下位置の第２シャッター部材２に吊り下げられており、該第２シャッター部材２はその真上に位置する他の第２シャッター部材２に吊り下げられており、最上位置の第２シャッター部材２は最上部の第１シャッター部材１に吊り下げられている。なお、第１シャッター部材１は、リング１Ａ９を介してワイヤー（図示省略）によって吊り下げられている。
【００４７】
そして、ワイヤーが引き出されてシャッター装置が下降すると、先ず第３シャッター部材３が接地面５に当接する。さらにワイヤーが引き出されると、第３シャッター部材３の真上の第２シャッター部材２が下がり、当該第２シャッター部材２の下部２Ｂが第３シャッター部材３の内部をさらに進入する。ここで、第２シャッター部材２の下部２Ｂ全体が第３シャッター部材３の内部に入った状態では、図１０に示すように、第２シャッター部材２の上部２Ａの底面が第３シャッター部材３の上面に密着すると共に、第２シャッター部材２の下部２Ｂの前面が第３シャッター部材３の前壁３Ａ２の内面に密着する。
【００４８】
さらに、ワイヤーがケース６Ａから引き出されるにしたがって、複数の第２シャッター部材が、下から順に他の第２シャッター部材の上に積み重なる。ここで、上下に積み重なった第２シャッター部材２同士も、図１０に示す第３シャッター部材３と第２シャッター部材２との関係と同様に、上側の第２シャッター部材２の下部２Ｂが下側の第２シャッター部材２の内部に面接触すると共に、上側の第２シャッター部材２の上部２Ａの底面が下側の第２シャッター部材３の上部２Ａの上面に密着する。
【００４９】
そして、全ての第２シャッター部材２が積み重なった後に、さらにワイヤーがケース６Ａから引き出されると、最上部の第１シャッター部材１もその真下の第２シャッター部材２の上に、図１０に示す第３シャッター部材３と第２シャッター部材２との関係と同様に積み重なる。
【００５０】
よって、最終的には、図１（Ｂ）に示すように、上側の第１シャッター部材１の下部１Ｂが真下の隣接する第２シャッター部材２の上部２Ａ内に密着し、また、隣接する第２シャッター部材同士も、上側の第２シャッター部材２の下部２Ｂが下側の第２シャッター部材２の内部に密着し、さらに隣接する第２シャッター部材２と第３シャッター部材３も、上側の第２シャッター部材２の下部２Ｂが下側の第３シャッター部材３の内部に密着して、垂直壁面を構成することができる。
【００５１】
一方、図１（Ｂ）に示すように垂直壁面を構成する水密式シャッター装置１０を開くには、上記と逆の作業を行えばよい。即ち、第１シャッター部材１を牽引するワイヤーをケース６Ａ内に巻き取る。ワイヤーがケース６Ａ内に巻き取られるに従って、上の方のブロックから順に持ち上げられて、ケース６Ａ内に収容されることになる。このとき、下側のブロックは、上側のブロックに吊り下げられた状態で持ち上げられる。
【００５２】
このような本発明の実施形態に係る水密式シャッター装置１０によれば、第１シャッター部材１が下方に突出する第１凸部を備えたブロックとして形成され、最上位置の第２シャッター部材２が該第１凸部に対応した第１凹部を備えると共に下方に突出する第２凸部を備えたブロックとして形成され、当該最上位置の第２シャッター部材２に連接して垂下する複数の第２シャッター部材２がそれぞれ下方に突出する第３凸部を備えると共に上記第２凸部又は他の第２シャッター部材２の上記第３凸部に対応する第２凹部を備えたブロックとして形成され、第３シャッター部材３が最下位置の第２シャッター部材２の第３凸部に対応した第３凹部を備えたブロックとして形成されているので、各ブロックが、部分的に突出した凸部を他のブロックの凹部の内面に密着させて、他のブロックに積み重なることができる。即ち、各ブロックが積み重なった状態においては、第１シャッター部材１及び第２シャッター部材２の第１凸部及び第２凸部並びに第３凸部が、対応する第２シャッター部材２の第１凹部或いは第２凹部、または第３シャッター部材３の第３凹部の内面に密着して、垂直壁面が形成されている。
【００５３】
よって、第１シャッター部材１，第２シャッター部材２及び第３シャッター部材３が、垂直壁面を形成した際に、上側のブロックの凸部が下側のブロックの凹部の内面に密着しつつ、上側のブロックの底面が下側のブロックの上面に当接しているので、当該垂直壁面の前面に水が押し寄せても当該ブロックの隙間を通って水が垂直壁面の後方に侵入するのを確実に防止することができる。
【００５４】
また、図１（Ａ）に示すように、下側のブロックが上側のブロックに吊り下げられている状態においては、上側のブロックと下側のブロックとが、連結棒１Ｂ１，２Ｂ１とガイド孔２Ａ８，３Ａ８との係合によって連結されていることから、下側のブロックは、上側のブロックに対して、回動することができるようになっている。このように、水密式シャッター装置１０を構成するブロック状の部材１，２，３が、上下の他のブロックに対して回動することできるので、従来の羽根部材により構成されたシャッターと同様に、ケース６内で折り畳むことができる。
【００５５】
以上説明したが、本発明の趣旨を逸脱しない範囲において様々な形態で実施することができる。例えば、本発明の水密式シャッター装置１０の第１シャッター部材１，第２シャッター部材２及び第３シャッター部材３の寸法は、図示例に限定されないことは勿論である。
また、第１シャッター部材１の下部１Ｂ及び第２シャッター部材２の下部２Ｂの各下端部は、図２及び図４に示す構成例では角がでているが、図１０に示すように、当該下端部は断面が半円形状に形成されていてもよい。このように、第１シャッター部材１の下部１Ｂ及び第２シャッター部材２の下部２Ｂの各下端部が断面半円形に形成されていると、下側のブロックの凹部に対して、上側のブロックの凸部が回転し易くなる。特に連結棒１Ｂ１、２Ｂ１がガイド孔２Ａ８，３Ａ８の折曲点を通過する際にその移動が円滑になる。
【図面の簡単な説明】
【００５６】
【図１】本発明の実施形態に係る水密式シャッターを示す側面図である。
【図２】本発明の実施形態に係る第１シャッター部材を示す斜視図である。
【図３】図２に示す第１シャッター部材の分解斜視図である。
【図４】本発明の実施形態に係る第２シャッター部材を示す斜視図である。
【図５】図４に示す第２シャッター部材の分解斜視図である。
【図６】本発明の実施形態に係る第３シャッター部材を示す斜視図である。
【図７】図６に示す第１シャッター部材の分解斜視図である。
【図８】本発明の実施形態に係る水密式シャッターのガイド部材を示す斜視図である。
【図９】本発明の実施形態に係るガイド部材及び駆動装置を示す斜視図である。
【図１０】本発明の実施形態に係る第２シャッター部材と第３シャッター部材の連結構造を説明するための断面図である。
【符号の説明】
【００５７】
１  第１シャッター部材
１Ａ，２Ａ  上部
１Ａ１，２Ａ１，３Ａ１  底板
１Ａ２，２Ａ２，３Ａ２  前壁
１Ａ３，２Ａ３，３Ａ３  後壁
１Ａ４，１Ａ５，２Ａ４，２Ａ５，３Ａ４，３Ａ５  側壁
１Ａ６  上壁
１Ａ７，２Ａ７  穴
１Ａ９  リング
１Ｂ，２Ｂ  下部
１Ｂ１，２Ｂ１  連結棒
２  第２シャッター部材
２Ａ８，３Ａ８  ガイド孔
２Ｃ，３Ｃ  開口
３  第３シャッター部材
４  ガイド部材
４Ａ  第１水平部材
４Ｂ，４Ｃ  垂直部材
４Ｄ  第２水平部材
４Ｆ  ベース
６  駆動装置
６Ａ  ケース
６Ｂ１〜６Ｂ３  巻き上げドラム
６Ｃ  ベルト
１０  水密式シャッター装置
【図１】
2006037653.tif 000003
【図２】
2006037653.tif 000004
【図３】
2006037653.tif 000005
【図４】
2006037653.tif 000006
【図５】
2006037653.tif 000007
【図６】
2006037653.tif 000008
【図７】
2006037653.tif 000009
【図８】
2006037653.tif 000010
【図９】
2006037653.tif 000011
【図１０】
2006037653.tif 000012